(57)【要約】  【課題】  高価な加速度ピックアップを用いなくとも安価、且つ、容易に異常振動を検出できる画像形成装置を提供する。  【解決手段】  主走査方向に偏向される光ビームにより露光位置Ｅに搬送される感光材料Ｐを露光するレーザー露光ユニット１３と、前記感光材料Ｐを前記露光位置Ｅに向けて前記主走査方向と直交する副走査方向に搬送する露光搬送ユニット１２と、前記露光位置Ｅにおける露光搬送ユニット１２と前記レーザー露光ユニットとの相対的な振動を検出する振動検出部４０とを備えて構成され、前記振動検出部４０は、前記レーザー露光ユニット１３から出力される光ビームの光路上で、前記露光搬送ユニット１２により搬送される前記感光材料Ｐの搬送路に光センサＬＳを配置して前記レーザー露光ユニット１３からの光ビームに基づいて振動を検出するように構成されている  【選択図】  図２
2006110957.tif 000002
【特許請求の範囲】
【請求項１】
主走査方向に偏向される光ビームにより露光位置に搬送される感光材料を露光するレーザー露光ユニットと、前記感光材料を前記露光位置に向けて前記主走査方向と直交する副走査方向に搬送する露光搬送ユニットと、前記露光位置における露光搬送ユニットと前記レーザー露光ユニットとの相対的な振動を検出する振動検出部とを備えて構成される画像形成装置であって、
前記振動検出部は、前記レーザー露光ユニットからの光ビームに基づいて振動を検出するように構成されている画像形成装置。
【請求項２】
前記振動検出部は、前記レーザー露光ユニットから出力される光ビームの光路上に光センサを配置して構成される請求項１記載の画像形成装置。
【請求項３】
前記振動検出部は、前記レーザー露光ユニットから出力される光ビームの光路上で、前記露光搬送ユニットにより搬送される前記感光材料の搬送路に光センサを配置して構成される請求項１記載の画像形成装置。
【請求項４】
前記光センサは、少なくとも前記感光材料の幅方向両外側に夫々配置されている請求項３記載の画像形成装置。
【請求項５】
前記振動検出部は、前記光センサによる前記光ビームの検出状態に基づいて異常振動の有無を検出する請求項２から４の何れか１項に記載の画像形成装置。
【請求項６】
前記振動検出部により異常振動が検出されたときに、感光材料の露光を中断するとともに、露光済みの感光材料に対するプロセスを継続するプロセス制御手段が設けられている請求項５記載の画像形成装置。
【請求項７】
前記振動検出部により異常振動が検出されたときに、警告出力する警告出力手段が設けられている請求項６記載の画像形成装置。
【請求項８】
前記プロセス制御手段は、振動検出部により異常振動の収束が検出されたときに感光材料の露光を再開するように構成されている請求項６記載の画像形成装置。
【発明の詳細な説明】
【技術分野】
【０００１】
本発明は、主走査方向に偏向される光ビームにより露光位置に搬送される感光材料を露光するレーザー露光ユニットと、前記感光材料を前記露光位置に向けて前記主走査方向と直交する副走査方向に搬送する露光搬送ユニットと、前記露光位置における露光搬送ユニットと前記レーザー露光ユニットとの相対的な振動を検出する振動検出部とを備えて構成される画像形成装置に関する。
【背景技術】
【０００２】
近年、フィルムに記録された画像を光電的に読み取り、得られたデジタル画像データに種々の画像処理を施して記録用の画像データを生成し、この画像データに応じて変調した光ビームによって感光材料を走査露光して潜像を形成した後に現像処理を施して写真プリントとして出力するデジタル露光方式の画像形成装置が実用化されている。
【０００３】
このような画像形成装置の作動中に異常振動が加わると、その程度によっては光ビームによる印画紙への露光位置が乱れ、異常な画像として出力される場合がある。そのような場合に、出力画像を目視した操作者によって異常画像の発生が認識されると、当該画像を再度出力するように画像形成装置を操作作動する必要があった。
【０００４】
しかしながら、目視による異常画像の検出は一般的に煩雑であり、特に微妙な乱れを的確に検出するのは困難であるため、画像形成装置に加わる振動や衝撃を、感光材料を露光位置に向けて主走査方向と直交する副走査方向に搬送する露光搬送ユニットに、Ｘ軸、Ｙ軸、Ｚ軸方向で加速度を測定する加速度ピックアップを設けて自動検出し、所定レベル以上の振動や衝撃が検出されたときに、画像処理装置を停止させる制御手段を設け、そのときに露光された画像コマＮｏ．がアラームにより報知されるものが提案されている。
【特許文献１】特開２００２−２８７２５７号公報
【発明の開示】
【発明が解決しようとする課題】
【０００５】
上述した従来技術によれば、異常振動を検出するために非常に高価な加速度ピックアップを使用する必要があるため、当該加速度ピックアップを備える機種が高級機に限られ、安価な装置には搭載が困難となるという問題があった。
【０００６】
本発明は、上述の従来欠点に鑑み、高価な加速度ピックアップを用いなくとも安価、且つ、容易に異常振動を検出できる画像形成装置を提供する点にある。
【課題を解決するための手段】
【０００７】
上述の目的を達成するため、本発明による画像形成装置の第一の特徴構成は、特許請求の範囲の書類の請求項１に記載した通り、主走査方向に偏向される光ビームにより露光位置に搬送される感光材料を露光するレーザー露光ユニットと、前記感光材料を前記露光位置に向けて前記主走査方向と直交する副走査方向に搬送する露光搬送ユニットと、前記露光位置における露光搬送ユニットと前記レーザー露光ユニットとの相対的な振動を検出する振動検出部とを備えて構成される画像形成装置であって、前記振動検出部は、前記レーザー露光ユニットからの光ビームに基づいて振動を検出するように構成されている点にある。
【０００８】
上述の構成によれば、露光位置における露光搬送ユニットとレーザー露光ユニットとの相対的な振動が、前記レーザー露光ユニットからの光ビームに基づいて検出されるように、例えば、振動による光ビームの光軸のずれに基づいて振動の有無及びその程度が検出されるように振動検出部が構成されているので、高価な加速度ピックアップを用いること無く、振動による感光材料への露光の影響を確実且つ正確に検出することができるようになるのである。
【０００９】
同第二の特徴構成は、同請求項２に記載した通り、上述の第一の特徴構成に加えて、前記振動検出部は、前記レーザー露光ユニットから出力される光ビームの光路上に光センサを配置して構成される点にある。
【００１０】
上述の構成によれば、露光位置における露光搬送ユニットとレーザー露光ユニットの相対的な振動が生じると、レーザー露光ユニットから出力される光ビームの光軸がずれるようになるので、その光軸のずれを安価な光センサにより検出することができるようになるのである。
【００１１】
同第三の特徴構成は、同請求項３に記載した通り、上述の第一の特徴構成に加えて、前記振動検出部は、前記レーザー露光ユニットから出力される光ビームの光路上で、前記露光搬送ユニットにより搬送される前記感光材料の搬送路に光センサを配置して構成される点にある。
【００１２】
光センサを前記光ビームの光路上で且つ感光材料の搬送路に配置すれば、露光位置における露光搬送ユニットとレーザー露光ユニットの相対的な振動、言い換えれば、振動による感光材料への露光の影響をより正確に検出することができるようになるのである。
【００１３】
同第四の特徴構成は、同請求項４に記載した通り、上述の第三の特徴構成に加えて、前記光センサは、少なくとも前記感光材料の幅方向両外側に夫々配置されている点にある。
【００１４】
上述の構成によれば、主走査方向に偏光される光ビームが露光中の感光材料を通過してその幅方向両外側を照射したときに検出できるようになるのであり、これにより感光材料の露光中であっても確実に振動を検出できるようになるのである。
【００１５】
同第五の特徴構成は、同請求項５に記載した通り、上述の第二から第四の特徴構成に加えて、前記振動検出部は、前記光センサによる前記光ビームの検出状態に基づいて異常振動の有無を検出する点にある。
【００１６】
上述の構成によれば、光センサによる光ビームの検出状態、例えば、光ビームの検出強度、検出の有無等に基づいて振動の有無またはその程度が検出できるのであり、光センサを複数設けることによりその振幅をも検出できるようになるのである。
【００１７】
同第六の特徴構成は、同請求項６に記載した通り、上述の第五の特徴構成に加えて、前記振動検出部により異常振動が検出されたときに、感光材料の露光を中断するとともに、露光済みの感光材料に対するプロセスを継続するプロセス制御手段が設けられている点にある。
【００１８】
上述の構成により、無駄になるような新たな感光材料の消費を回避しつつも、既に露光が終了し正常なプリントとして出力可能な感光材料に対するプロセスを継続することにより、異常振動が生じたときであっても効率的に装置を稼動させることができるようになるのである。
【００１９】
同第七の特徴構成は、同請求項７に記載した通り、上述の第六の特徴構成に加えて、前記振動検出部により異常振動が検出されたときに、警告出力する警告出力手段が設けられている点にある。
【００２０】
異常振動が生じたときに、プロセス制御手段がそれに対応した制御を行なっても、オペレータがその状態を認識できないときには、装置に対して適切な操作ができない場合もある。そこで、異常振動が検出されたことを警告出力手段により警告出力することによりオペレータに認識させることにより、その後の適切な対応が可能になるのである。
【００２１】
同第八の特徴構成は、同請求項８に記載した通り、上述の第六の特徴構成に加えて、前記プロセス制御手段は、振動検出部により異常振動の収束が検出されたときに感光材料の露光を再開するように構成されている点にある。
【００２２】
一連のプリント出力時に異常振動であると検出されると新たな感光材料への露光が中断されるが、既に露光位置に向けて新たな感光材料が供給途中にあるときには、少なくとも供給途中にある感光材料に対する露光を継続することにより、プリント作業をスムーズに進行させることができるようになるのである。
【発明の効果】
【００２３】
以上説明した通り、本発明によれば、高価な加速度ピックアップを用いなくとも安価、且つ、容易に異常振動を検出できる画像形成装置を提供することができるようになった。
【発明を実施するための最良の形態】
【００２４】
以下に本発明による画像形成装置の実施の形態をデジタル露光方式の写真処理装置を例に説明する。図１及び図２に示すように、写真処理装置は、印画紙マガジン１０から供給される感光材料としての印画紙Ｐに対して露光及び現像処理を行ない写真プリントとして出力する写真プリンタＡと、前記写真プリンタＡで処理されるプリントデータを生成、編集するとともに、前記写真プリンタＡを制御する操作部Ｂとを備えて構成される。
【００２５】
前記写真プリンタＡは、ロール状に巻回された印画紙Ｐを収容する２つの印画紙マガジン１０と、前記印画紙マガジン１０から引き出し搬送された印画紙Ｐを所定のプリントサイズに切断するカッター１１と、前記カッター１１で切断された印画紙Ｐを露光位置Ｅに搬送する露光搬送ユニット１２と、前記露光位置Ｅに搬送された印画紙Ｐを露光処理するレーザー露光ユニット１３と、露光後の印画紙Ｐを現像処理する複数の現像処理槽を備えた現像処理部１４と、現像処理後に乾燥された印画紙Ｐを排出するべく装置上部に配置された横送りコンベア１５と、横送りコンベア１５に排出されたオーダ単位の印画紙Ｐ、つまり写真プリントが搬送される複数のトレイ１６ａを備えたソータ１６を備えて構成され、各トレイ１６ａにオーダ単位で仕分けられるように構成される。
【００２６】
各印画紙マガジン１０には収容されている印画紙のサイズや特性、つまり種別を一義的に特定するＩＤコードがバーコード等の形態で付与されており、当該印画紙マガジン１０の装着部に設けたＩＤコードリーダ１０ａで読み取ることにより装着されている印画紙Ｐの種別が認識可能に構成されている。
【００２７】
前記レーザー露光ユニット１３は、前記露光搬送ユニット１２によって所定速度で副走査方向に搬送される印画紙Ｐに対して、その副走査方向に直交する主走査方向に偏向される光ビームにより前記露光位置Ｅに搬送される印画紙Ｐを露光するように構成され、図３に示すように、赤（Ｒ）、緑（Ｇ）、青（Ｂ）夫々に対応した互いに異なる狭帯域波長の光ビームを異なる角度で射出する複数のレーザー光源１３Ｒ，１３Ｇ，１３Ｂと、同一反射面に入射した光ビームを主走査方向に偏向反射して印画紙Ｐを露光するポリゴンミラー１３３を備えた偏向光学系１３０と、前記偏向光学系１３０による印画紙Ｐへの露光光路外に配置され、主走査方向の始点同期タイミングを得る光センサユニット１３Ｓと、制御回路（図示せず）等を備えて構成される。
【００２８】
詳述すると、各レーザー光源１３Ｒ，１３Ｇ，１３Ｂから射出された光ビームは、画像データに応じて変調される音響光学変調素子１３０Ｒ，１３０Ｇ，１３０Ｂによって回折され、その回折光が反射ミラー１３１Ｒ，１３１Ｇ，１３１Ｂ、シリンドリカルレンズ１３２Ｒ，１３２Ｇ，１３２Ｂを経て前記ポリゴンミラー１３３に入射し、前記ポリゴンミラー１３３の回転に応じて走査方向に偏向反射された後にｆθレンズ１３４を経てレーザー射出部１３５から射出され印画紙Ｐに照射される。
【００２９】
前記制御回路により制御される露光動作タイミングを、図４に示す赤色のレーザー光源１３Ｒを例に説明する。前記レーザー光源１３Ｒ及び前記ポリゴンミラー１３３が駆動されて立ち上がった後に、前記音響光学変調素子１３０Ｒが駆動され前記露光位置Ｅに向けて強度調整用の光ビームが射出される。前記制御回路のクロック発生部から出力される同期クロックに同期して前記光センサユニット１３Ｓにより当該光ビームが検出されるタイミングが主走査のスタート位置として把握され、そのタイミングを基準に光ビームが印画紙Ｐに対する露光開始位置に到達する所定のタイミングで画像データに対応した駆動信号により前記音響光学変調素子１３０Ｒが駆動される。図中、切替信号Ｒは、前記音響光学変調素子１３０Ｒに対する駆動信号のゲート切替信号で、ローレベルで画像信号が入力され、ハイレベルで強度調整用信号が入力される。
【００３０】
このとき、前記光センサユニット１３Ｓによる検出光量が所定光量になるように前記レーザー光源の駆動電流等が調整される。そして、画像データの出力タイミングの前後は少なくとも後述の振動検出用の光センサによる光ビームの検出タイミングで光ビームが射出されるように前記音響光学変調素子１３０Ｒが駆動される。このようにして赤色の１ラインの露光が終了するのであるが、緑色、青色の光ビームによる露光も同様であり、これらが複数ライン繰り返されることにより印画紙１枚の露光が終了する。
【００３１】
図１に示すように、前記操作部Ｂは、写真フィルムＦに記録されているコマ画像をデジタルデータとして読み取るフィルムスキャナ２と、所定のアプリケーションプログラム及び前記写真プリンタＡに対する制御プログラムがインストールされた汎用のコンピュータ３と、当該コンピュータ３に接続されたモニタ３０、キーボードやマウスでなる操作入力部３１等を備えて構成される。
【００３２】
図２に示すように、前記フィルムスキャナ２は、フィルム搬送部２０と、フィルム搬送部２０の上方に配置された照明光学系２１と、フィルム搬送部２０の下側に配置された結像光学系２２と、結像光学系２２による合焦位置に配置された光電変換部２３を備えて構成され、照明光学系２１からの光線束をスリット２４を介して搬送されるフィルムＦに照射することで光電変換部２３に備えたラインセンサによりコマ画像が読み取られるように構成されている。
【００３３】
前記光電変換部２３で読み取られた画像データは、画像入力ボード３３を介して前記コンピュータ３の画像メモリに入力され、前記モニタ３０に表示される。当該写真処理装置を操作するオペレータが、モニタ３０に表示された画像を目視しながら前記操作入力部３１を操作して所定の画像処理操作等を行なうことにより、当該コンピュータ３によって前記写真プリンタＡに出力する最終のプリントデータが生成される。
【００３４】
前記コンピュータ３は、さらに、デジタルカメラによる撮影画像が格納されたスマートメディアやコンパクトフラッシュ（登録商標）等の記憶媒体に対応して画像データを取得する複数のメディアリーダ３ａを備えてあり、上述と同様に、前記コンピュータ３の画像メモリに入力され、前記モニタ３０に表示され、編集されプリントデータが生成されるように構成されている。
【００３５】
上述の写真処理装置には、前記露光位置Ｅにおける露光搬送ユニット１２と前記レーザー露光ユニット１３との相対的な振動を検出する振動検出部４０が設けられ、前記振動検出部４０により異常振動が検出されたときに、印画紙Ｐの露光を中断するとともに、露光済みの印画紙Ｐに対するプロセスを継続するプロセス制御手段が設けられている。
【００３６】
前記振動検出部４０は、前記レーザー露光ユニット１３から出力される光ビームの光路上で、前記露光搬送ユニット１２により搬送される印画紙Ｐの搬送路に主走査方向に沿って配置された複数のフォトトランジスタで構成される光センサＬＳと、当該光センサＬＳの出力に基づいて異常振動が生じているか否かを判断する判断部で構成され、前記判断部は前記コンピュータ３の制御プログラムの一部で構成され、前記レーザー露光ユニットからの光ビームに基づいて振動の有無を検出するように構成されている。
【００３７】
図５（ａ），（ｃ）に示すように、前記光センサＬＳは、印画紙Ｐの露光中であっても異常振動を検出できるように、少なくとも搬送される印画紙Ｐの最大幅よりも幅方向両外側に中心に対して対象位置に一対配置されており、振動の無い正常な状態での露光中には左右双方の光センサＬＳによって光ビームが検出されるところ、前記露光位置Ｅにおける露光搬送ユニット１２と前記レーザー露光ユニット１３との間に振動が生じて、何れかまたは双方の光センサＬＳで検出されなくなる（振動による光軸のずれで当該フォトトランジスタによる受光光量が所定の閾値よりも低くなる）ことにより異常振動の発生が検出される。
【００３８】
図５（ｂ）に示すように、前記露光位置Ｅにおける露光搬送ユニット１２と前記レーザー露光ユニット１３との間で主走査方向に沿って振動が生じ、印画紙Ｐの両端外側を照射する所定のタイミングで何れかの光センサＬＳで光ビームが検出されないときに主走査方向に沿った異常振動が生じていると判断され、図５（ｄ）に示すように、印画紙Ｐの両端外側を照射する所定のタイミングで双方の光センサＬＳともに光ビームが検出されないときに副走査方向に沿った異常振動が生じていると判断される。
【００３９】
前記プロセス制御手段は、前記コンピュータ３の制御プログラムの一部で構成され、前記印画紙マガジン１０から印画紙Ｐを引出し搬送し、前記カッター１１で所定サイズに切断された印画紙Ｐを前記露光搬送ユニット１２によって前記露光位置Ｅに搬送し、露光後の印画紙Ｐを前記現像処理部１４を経由して前記ソータ１６に排出する一連の写真プリントプロセスを制御するもので、印画紙Ｐの露光中に前記振動検出部４０によって異常振動の発生が検出されると、印画紙Ｐの露光を中断して前記露光位置Ｅの上流側の搬送機構を停止するとともに、露光済みの感光材料に対するプロセスを継続すべく前記現像処理部１４や前記ソータ１６を駆動して正常な写真プリントを出力する。
【００４０】
即ち、図６に示すように、前記印画紙マガジン１０から印画紙Ｐを引出し搬送すると同時に（Ｓ１）、前記ポリゴンミラー１３３及び前記レーザー光源１３Ｒ，１３Ｇ，１３Ｂの何れかを振動検出用として駆動して前記露光位置Ｅに配置された光センサＬＳに向けて照射する（Ｓ２）。前記振動検出部４０で異常振動が検出されず正常状態であると判断されると（Ｓ３）、そのまま印画紙Ｐがカッター１１によって所定サイズに切断され、前記露光搬送ユニット１２まで搬送され（Ｓ４）、露光処理のために各レーザー光源１３Ｒ，１３Ｇ，１３Ｂが駆動される（Ｓ５）。
【００４１】
前記ステップＳ３で異常振動が検出されると、露光が中断されて前記露光位置Ｅの上流側の搬送機構が停止され（Ｓ１０）、中断された印画紙Ｐを含む露光済みの印画紙Ｐに対する現像処理等のプロセスが継続される。これによって正常に露光処理が終了している印画紙Ｐの出力が確保される（Ｓ１１）。
【００４２】
上述のステップＳ５に続き、露光搬送ユニット１２により印画紙Ｐが露光位置Ｅに搬送され（Ｓ６）、印画紙Ｐへの露光中にも前記振動検出部４０により異常振動の有無が検出され（Ｓ７）、正常状態であれば（Ｓ８）、全てのプリントが終了するまで上述の動作を繰り返す（Ｓ９）。ステップＳ８で異常振動が検出されるとステップＳ１０の処理に移る。
【００４３】
この状態で、前記振動検出部４０により異常振動の収束が検出されると、前記プロセス制御手段は機内の搬送経路に停止している印画紙Ｐの搬送を再開し、コンピュータ３の内部メモリに格納されている画像データに基づいて前記露光位置Ｅに搬送される印画紙Ｐに対して露光を再開する。
【００４４】
また、前記コンピュータ３の制御プログラムには、前記振動検出部４０により異常振動が検出されたときに警告出力する警告出力手段が設けられ、異常振動による装置の停止中である旨のメッセージ、及び、露光が中断されたコマ番号が前記モニタ３０の画面に表示されるとともに警報が発せられる。
【００４５】
以下に本発明による画像形成装置の別実施形態を説明する。上述の実施形態では、レーザー露光ユニット１３が、互いに異なる狭帯域波長の光ビームを異なる角度で射出する複数の光源と、同一反射面に入射した前記光ビームを主走査方向に偏向反射して同一の走査線上を所定の間隔で順次走査して感光材料を露光する偏向光学系を備えた異角入射方式で構成されたものを説明したが、レーザー光源から射出された赤（Ｒ）、緑（Ｇ）、青（Ｂ）の各光ビームを合波プリズムを用いて１本のビームに集光した後に光偏向光学系に入射させて感光材料を露光する合波方式で構成されるものも採用可能であることはいうまでもない。
【００４６】
上述した実施形態では、光センサＬＳとしてフォトトランジスタを用い、振動による光軸のずれで当該フォトトランジスタによる受光光量が所定の閾値よりも低くなったときに異常振動が生じたと判断されるものを説明したが、光センサＬＳとしてはフォトトランジスタを使用するものに限るものではなく、他の種類の光センサを採用することも可能である。また、光センサとして二次元または一次元のＣＣＤセンサを用いて受光位置の変動を計測し、所定の距離以上受光位置が変動したときに異常振動が生じたと判断するものであってもよい。
【００４７】
上述の実施形態では、光センサを前記レーザー露光ユニットから出力される光ビームの光路上で、前記露光搬送ユニットにより搬送される印画紙の搬送路に配置したものを説明したが、少なくとも前記レーザー露光ユニットから出力される光ビームの光路上に配置されるものであれば、必ずしも露光搬送ユニットの搬送路に配置されるもので無くともよい。
【００４８】
上述の実施形態では、主走査のスタート位置を検出する光センサユニット１３Ｓがレーザー露光ユニット１３内に配置されるものを説明したが、前記偏向光学系１３０による印画紙Ｐへの露光光路外で、光ビームが検出された後に印画紙Ｐに対する露光開始端部に達するまでの時間が把握できるような位置であれば、その設置位置は特に制限されるものではなく、上述のようにミラー２１等を介して検出される以外に直接検出されるものであってもよいし、レーザー露光ユニット１３の外部に設置されるものであってもよい。この場合には、光センサユニット１３Ｓを振動検出用の光センサＬＳとして兼用することも可能になる。
【図面の簡単な説明】
【００４９】
【図１】本発明による写真処理装置の外観図
【図２】本発明による写真処理装置の構造を説明する模式図
【図３】本発明による写真処理装置のレーザー露光ユニットのブロック構成図
【図４】本発明によるレーザー露光ユニットの動作タイミングチャート
【図５】振動検出部による振動検出原理の説明図
【図６】本発明による写真処理装置の動作を説明するフローチャート
【符号の説明】
【００５０】
２：フィルムスキャナ
３：コンピュータ（プロセス制御手段）
１２：露光搬送ユニット
１３：レーザー露光ユニット
１３Ｒ，１３Ｇ，１３Ｂ：レーザー光源
４０：振動検出部
１３５：レーザー射出部
Ａ：写真プリンタ
Ｂ：操作部
Ｅ：露光位置
Ｐ：印画紙
【図１】
2006110957.tif 000003
【図２】
2006110957.tif 000004
【図３】
2006110957.tif 000005
【図４】
2006110957.tif 000006
【図５】
2006110957.tif 000007
【図６】
2006110957.tif 000008